(57)【要約】【課題】本発明は、ディスク状記録媒体の種類がシングルセッションであるのかマルチセッションであるのかを自動的に判別して確実に再生できるようにする。【解決手段】本発明は、ディスク状記録媒体から再生信号を読み取る際、当該ディスク状記録媒体がマルチセッション対応又はマルチセッション非対応であるかに係わらず、最初のセッションにおけるＴＯＣ（Ｔａｂｌｅ  Ｏｆ  Ｃｏｎｔｅｎｔ）の属性情報だけを読み出し、最初のセッションにおけるＴＯＣの属性情報に基づいて当該ディスク状記録媒体がマルチセッション対応又はマルチセッション非対応であるかを判定し、ディスク状記録媒体がマルチセッション非対応であると判定したときシングルセッションモードとして再生し、ディスク状記録媒体がマルチセッション対応であると判定したときセッション単位で順次再生するようにする。【選択図】        図１
2004246997.tif 000002
【特許請求の範囲】
【請求項１】
ディスク状記録媒体から再生信号を読み取る際、当該ディスク状記録媒体がマルチセッション対応又はマルチセッション非対応であるかに係わらず、最初のセッションにおけるＴＯＣ（Ｔａｂｌｅ  Ｏｆ  Ｃｏｎｔｅｎｔ）の属性情報だけを読み出すＴＯＣ読出ステップと、
上記最初のセッションにおけるＴＯＣの属性情報に基づいて当該ディスク状記録媒体が上記マルチセッション対応又はマルチセッション非対応であるかを判定する判定ステップと、
上記判定ステップで上記ディスク状記録媒体がマルチセッション非対応であると判定したとき、当該ディスク状記録媒体をシングルセッションモードとして上記ディスク状記録媒体を再生するシングルセッションモード再生ステップと、
上記判定ステップで上記ディスク状記録媒体がマルチセッション対応であると判定したとき、当該ディスク状記録媒体をセッション単位で順次再生する単位セッション再生ステップと
を具えることを特徴とするマルチセッション対応ディスクの再生方法。
【請求項２】
ディスク状記録媒体から再生信号を読み取る際、当該ディスク状記録媒体がマルチセッション対応又はマルチセッション非対応であるかに係わらず、最初のセッションにおけるＴＯＣ（Ｔａｂｌｅ  Ｏｆ  Ｃｏｎｔｅｎｔ）の属性情報だけを読み出すＴＯＣ読出ステップと、
上記最初のセッションにおけるＴＯＣの属性情報に基づいて当該ディスク状記録媒体が上記マルチセッション対応又はマルチセッション非対応であるかを判定する判定ステップと、
上記判定ステップで上記ディスク状記録媒体がマルチセッション非対応であると判定したとき、当該ディスク状記録媒体をシングルセッションモードとして上記ディスク状記録媒体を再生するシングルセッションモード再生ステップと、
上記判定ステップで上記ディスク状記録媒体がマルチセッション対応であると判定したとき、当該ディスク状記録媒体をセッション単位で順次再生する単位セッション再生ステップと、
上記単位セッション再生ステップで上記ディスク状記録媒体を上記セッション単位で再生した後、一旦再生を中断する再生中断ステップと、
上記再生中断ステップで一旦再生を中断した後、次のセッションに対する再生命令が与えられたとき、当該次のセッションにおけるＴＯＣの属性情報を読み出し、当該次のセッションにおけるＴＯＣの属性情報に基づいて当該次のセッションに再生対象となるデータが記録されているか否かを判定するデータ種類判定ステップと、
上記データ種類判定ステップで上記次のセッションに上記再生対象となるデータが記録されていると判定したとき、上記単位セッション再生ステップ以降の処理を繰り返し、上記次のセッションに上記再生対象となるデータが記録されていないと判定したとき、一つ前のセッションにおけるＴＯＣの属性情報を再度読み出し、当該読み出した属性情報に基づいて上記単位セッション再生ステップで上記最初のセッションから上記一つ前のセッションまでを順次再生する制御ステップと
を具えることを特徴とするマルチセッション対応ディスクの再生方法。
【請求項３】
ディスク状記録媒体から再生信号を読み取る際、当該ディスク状記録媒体がマルチセッション対応又はマルチセッション非対応であるかに係わらず、最初のセッションにおけるＴＯＣ（Ｔａｂｌｅ  Ｏｆ  Ｃｏｎｔｅｎｔ）の属性情報だけを読み出すＴＯＣ読出ステップと、
上記最初のセッションにおけるＴＯＣの属性情報に基づいて当該ディスク状記録媒体が上記マルチセッション対応又はマルチセッション非対応であるかを判定する判定ステップと、
上記判定ステップで上記ディスク状記録媒体がマルチセッション非対応であると判定したとき、当該ディスク状記録媒体をシングルセッションモードとして上記ディスク状記録媒体を再生するシングルセッションモード再生ステップと、
上記判定ステップで上記ディスク状記録媒体がマルチセッション対応であると判定したとき、当該ディスク状記録媒体をセッション単位で順次再生する単位セッション再生ステップと、
上記単位セッション再生ステップで上記最初のセッションを再生した後、次のセッション以降におけるＴＯＣの属性情報をセッション毎に読み出し、当該セッション毎に読み出したＴＯＣの属性情報に基づいてそれ以前に読み出したＴＯＣの属性情報と矛盾が生じるか否かを判定するＴＯＣ判定ステップと、
上記ＴＯＣ判定ステップで上記矛盾が生じていないと判定したとき当該次のセッションを再生し、上記ＴＯＣ判定ステップで上記矛盾が生じていると判定したときそれ以前に読み出したＴＯＣの属性情報に基づいて最初のセッションから上記矛盾が生じる前までのセッションについて再生する制御ステップと
を具えることを特徴とするマルチセッション対応ディスクの再生方法。
【発明の詳細な説明】
【０００１】
【発明の属する技術分野】
本発明はマルチセッション対応ディスクの再生方法に関し、例えばマルチセッション方式で記録されているＣＤ−Ｒ（Ｃｏｍｐａｃｔ  Ｄｉｓｃ−Ｗｒｉｔｅ  Ｏｎｃｅ）、ＣＤ−ＲＷ（Ｃｏｍｐａｃｔ  Ｄｉｓｃ−Ｒｅ−Ｗｒｉｔａｂｌｅ）やコピーコントロールＣＤ（以下、これをＣＣＣＤと呼ぶ）を再生可能とするマルチセッション対応型プレーヤに適用して好適なものである。
【０００２】
【従来の技術】
従来、ＣＤには一つのセッションから成るシングルセッション（以下、これをシングルセッションＣＤと呼ぶ）と、複数のセッションから成るマルチセッション（以下、これをマルチセッションＣＤと呼ぶ）がある。
【０００３】
通常、パーソナルコンピュータでは、ＣＤ−Ｒドライブを介してマルチセッションＣＤにユーザ所望のコンテンツ（オーディオデータ、ゲームプログラム等）を自在に追記書込みできるようになされている。
【０００４】
ここでセッションとは、コンテンツそのものである実データの記録位置を示すリードイン、実データ及び当該実データの終端を示すリードアウトからなる一連のデータ（リードイン、実データ、リードアウト）のことを示している。
【０００５】
従ってマルチセッションＣＤでは、例えば最初に書き込まれた複数曲分のオーディオデータでなる一連のデータ部分が第１セッションとなり、その後追記書込みされる度に、第２セッション、第３セッション、……、と記憶容量の範囲内で順次セッションが増えていく構造となっている。
【０００６】
このようにパーソナルコンピュータのＣＤ−Ｒドライブで追記書込みしたマルチセッションＣＤを例えば一般のＣＤプレーヤで再生しようとした場合、当該一般のＣＤプレーヤでは通常のＣＤすなわちシングルセッションＣＤにしか対応していないため、第１セッションを再生することはできるが、第２セッション以降を再生することはできない。
【０００７】
そこで、最近では一般のＣＤプレーヤにおいても、マルチセッション対応型が求められている。このようなマルチセッション対応型プレーヤでは、装填された未記録のマルチセッションＣＤに複数種類のコンテンツを順次追記記録することができ、また当該追記記録したマルチセッションＣＤを再生することもできるが、その場合でも一つ問題が残る。
【０００８】
近年では、例えばパーソナルコンピュータにおいては通常のＣＤを再生したことによって得られたディジタルオーディオデータをディジタルデータのままハードディスクにリッピング（保存）し、当該ハードディスクから他の例えばＣＤ−Ｒ／ＲＷやＭＤ（Ｍｉｎｉ  Ｄｉｓｃ）等の記録媒体にＤｉｇｉｔａｌ  ｔｏ  Ｄｉｇｉｔａｌで著作権を侵害したコピーや、ネットワークを介しての譲渡等の不正な使用をすることが簡単に行われている。
【０００９】
そこで、このような著作権を侵害した使用を防止すべくパーソナルコンピュータでの読み込みを実行させないように特殊加工の施された構造のＣＣＣＤ（Ｃｏｐｙ  Ｃｏｎｔｒｏｌ  ＣＤ）が開発されており、このＣＣＣＤにもいわゆるマルチセッション方式を利用したものがある。
【００１０】
この種のＣＣＣＤは、例えば「レーベルゲート」、「Ｋｅｙ２ａｕｄｉｏ」等の各種方式が存在し、第１セッションに例えば音楽コンテンツ等の複数曲分のオーディオデータが記録され、第２セッションに例えば圧縮されたプログラムデータが記録されている等の複数セッションによって構成されている。
【００１１】
また各セッションのリードインエリアにはＴＯＣ（Ｔａｂｌｅ  ｏｆ  ｃｏｎｔｅｎｔ）が存在し、当該ＴＯＣには例えばデータの種類（オーディオデータ、プログラムデータ等）を示す識別情報、データ記録時間、次のセッションにおけるデータの種類、書込位置や時間情報等の各種情報が属性情報として書き込まれている。
【００１２】
実際上、第１セッションにおける第１ＴＯＣには当該第１セッションに記録されているオーディオデータに関する属性情報が書き込まれており、また第２ＴＯＣには第２セッションに記録されているオーディオデータに関する属性情報のみならず、第１ＴＯＣの属性情報についても書き込まれている。
【００１３】
また第３ＴＯＣには、第３セッションに記録されているオーディオデータに関する属性情報のみならず、第１ＴＯＣ及び第２ＴＯＣの属性情報についても書き込まれており、同様に第４ＴＯＣ以降にはそのセッションに記録されているオーディオデータに関する属性情報と、そのセッション以前の全てのセッション（第１、第２及び第３セッション）に関するＴＯＣの属性情報が書き込まれている。
【００１４】
ところで、第１セッションの第１ＴＯＣに書き込まれている属性情報と、第２セッションの第２ＴＯＣに書き込まれている属性情報とを比較した場合、第１ＴＯＣ及び第２ＴＯＣの双方に書き込まれている第１セッションのオーディオデータに関する属性情報については本来一致しなければならないところ、ＣＣＣＤについては一致せずに矛盾してしまうような属性情報が第２セッションの第２ＴＯＣには書き込まれている。
【００１５】
従ってパーソナルコンピュータがＣＤ−Ｒドライブを介してＣＣＣＤを再生しようとした場合、当該ＣＤ−Ｒドライブは最初にＣＣＣＤの全セッションにおける全ＴＯＣを読み出し、当該ＣＣＣＤに記録されている全てのオーディオデータに関する属性情報を認識しようとするため、その時点で第１ＴＯＣの属性情報と第２ＴＯＣの属性情報とが相互に矛盾を生じることになり、当該第１セッションに記録されたオーディオデータを再生することが出来なくなってしまう。
【００１６】
すなわち一般のＣＤプレーヤを単にマルチセッション対応型プレーヤとしただけでは、ＣＣＣＤが装填されたときにまず全セッションにおける全ＴＯＣを読み出すことになるので、第１ＴＯＣに続いて第２ＴＯＣの属性情報を読み出した時点で第１ＴＯＣの属性情報と第２ＴＯＣの属性情報とが相互に矛盾を生じ、第１セッションを再生することが出来なくなってしまう。
【００１７】
【発明が解決しようとする課題】
このようにかかる構成でなる従来のマルチセッション対応型プレーヤにおいては、一般のＣＤプレーヤを単にマルチセッション対応型としただけであるため、通常のＣＤ（シングルセッションＣＤ）を再生することはできても、ＣＣＣＤのようなマルチセッションＣＤについては再生出来なくなってしまうという問題があった。
【００１８】
本発明は以上の点を考慮してなされたもので、ディスク状記録媒体の種類を自動的に判別して確実に再生し得るマルチセッション対応ディスクの再生方法を提案しようとするものである。
【００１９】
【課題を解決するための手段】
かかる課題を解決するため本発明においては、ディスク状記録媒体から再生信号を読み取る際、当該ディスク状記録媒体がマルチセッション対応又はマルチセッション非対応であるかに係わらず、最初のセッションにおけるＴＯＣ（Ｔａｂｌｅ  Ｏｆ  Ｃｏｎｔｅｎｔ）の属性情報だけを読み出すＴＯＣ読出ステップと、最初のセッションにおけるＴＯＣの属性情報に基づいて当該ディスク状記録媒体がマルチセッション対応又はマルチセッション非対応であるかを判定する判定ステップと、当該判定ステップでディスク状記録媒体がマルチセッション非対応であると判定したとき、当該ディスク状記録媒体をシングルセッションモードとしてディスク状記録媒体を再生するシングルセッションモード再生ステップと、判定ステップでディスク状記録媒体がマルチセッション対応であると判定したとき、当該ディスク状記録媒体をセッション単位で順次再生する単位セッション再生ステップとを設けるようにする。
【００２０】
これにより、マルチセッション対応であると判定したときはセッション毎にＴＯＣの属性情報を読み出し、当該ＴＯＣの属性情報に基づいてセッション単位で再生することができるので、マルチセッションＣＤ又はコピーコントロールＣＤについてもＴＯＣの属性情報に基づいてセッション単位で確実に再生することができる。
【００２１】
また本発明においては、ディスク状記録媒体から再生信号を読み取る際、当該ディスク状記録媒体がマルチセッション対応又はマルチセッション非対応であるかに係わらず、最初のセッションにおけるＴＯＣ（Ｔａｂｌｅ  Ｏｆ  Ｃｏｎｔｅｎｔ）の属性情報だけを読み出すＴＯＣ読出ステップと、最初のセッションにおけるＴＯＣの属性情報に基づいて当該ディスク状記録媒体がマルチセッション対応又はマルチセッション非対応であるかを判定する判定ステップと、当該判定ステップでディスク状記録媒体がマルチセッション非対応であると判定したとき、当該ディスク状記録媒体をシングルセッションモードとしてディスク状記録媒体を再生するシングルセッションモード再生ステップと、判定ステップでディスク状記録媒体がマルチセッション対応であると判定したとき、当該ディスク状記録媒体をセッション単位で順次再生する単位セッション再生ステップと、当該単位セッション再生ステップでディスク状記録媒体をセッション単位で再生した後、一旦再生を中断する再生中断ステップと、当該再生中断ステップで一旦再生を中断した後、次のセッションに対する再生命令が与えられたとき、当該次のセッションにおけるＴＯＣの属性情報を読み出し、当該次のセッションにおけるＴＯＣの属性情報に基づいて当該次のセッションに再生対象となるデータが記録されているか否かを判定するデータ種類判定ステップと、当該データ種類判定ステップで次のセッションに再生対象となるデータが記録されていると判定したとき、単位セッション再生ステップ以降の処理を繰り返し、次のセッションに再生対象となるデータが記録されていないと判定したとき、一つ前のセッションにおけるＴＯＣの属性情報を再度読み出し、当該読み出した属性情報に基づいて単位セッション再生ステップで最初のセッションから一つ前のセッションまでを順次再生する制御ステップとを設けるようにする。
【００２２】
これにより、マルチセッション対応であると判定したときセッション単位で再生し、次のセッションにおけるＴＯＣの属性情報に基づいて当該次のセッションに再生対象となるデータが記録されているか否かを判定し、肯定結果を得たときのみ次のセッションを再生するが、否定結果を得たときは一つ前のセッションにおけるＴＯＣの属性情報に基づいて最初のセッションから当該一つ前のセッションまでを順次セッション単位で再生することができるので、再生対象のデータが記録されているセッションについてはマルチセッション対応又はマルチセッション非対応であるか否かに係わらずセッション単位で確実に再生することができる。
【００２３】
さらに本発明においては、ディスク状記録媒体から再生信号を読み取る際、当該ディスク状記録媒体がマルチセッション対応又はマルチセッション非対応であるかに係わらず、最初のセッションにおけるＴＯＣ（Ｔａｂｌｅ  Ｏｆ  Ｃｏｎｔｅｎｔ）の属性情報だけを読み出すＴＯＣ読出ステップと、最初のセッションにおけるＴＯＣの属性情報に基づいて当該ディスク状記録媒体がマルチセッション対応又はマルチセッション非対応であるかを判定する判定ステップと、当該判定ステップでディスク状記録媒体がマルチセッション非対応であると判定したとき、当該ディスク状記録媒体をシングルセッションモードとしてディスク状記録媒体を再生するシングルセッションモード再生ステップと、判定ステップでディスク状記録媒体がマルチセッション対応であると判定したとき、当該ディスク状記録媒体をセッション単位で順次再生する単位セッション再生ステップと、単位セッション再生ステップで最初のセッションを再生した後、次のセッション以降におけるＴＯＣの属性情報をセッション毎に読み出し、当該セッション毎に読み出したＴＯＣの属性情報に基づいてそれ以前に読み出したＴＯＣの属性情報と矛盾が生じるか否かを判定するＴＯＣ判定ステップと、当該ＴＯＣ判定ステップで矛盾が生じていないと判定したとき当該次のセッションを再生し、ＴＯＣ判定ステップで矛盾が生じていると判定したときそれ以前に読み出したＴＯＣの属性情報に基づいて最初のセッションから矛盾が生じる前までのセッションについて再生する制御ステップとを設けるようにする。
【００２４】
これにより、ＴＯＣの属性情報に基づいてマルチセッション対応であると判定したときはセッション単位で再生し、次のセッションにおけるＴＯＣの属性情報と一つ前のセッションにおけるＴＯＣの属性情報とを比較したときに両者の属性情報の間で矛盾が生じていないかを判定し、矛盾が生じていないときのみ次のセッションにおけるＴＯＣの属性情報に基づいて当該次のセッションを再生するが、矛盾が生じているときには一つ前のセッションにおけるＴＯＣの属性情報に基づいて最初のセッションから当該一つ前のセッションまでを順次セッション単位で再生することができるので、ＴＯＣの属性情報に矛盾が生じるまではマルチセッション対応又はマルチセッション非対応であるか否かに係わらずセッション単位で確実に再生することができる。
【００２５】
【発明の実施の形態】
以下、図面について、本発明の一実施の形態を詳述する。
【００２６】
（１）第１の実施の形態
（１−１）全体構成
図１において、１は全体として本発明におけるマルチセッション対応ディスクの再生方法を実現するマルチセッション対応型プレーヤの外観構成を示し、正面パネル２に通常のシングルセッションＣＤ、マルチセッションＣＤ（ＣＤ−Ｒ）、ＣＣＣＤ等の各種ディスク状記録媒体３を装填するための装着口４が設けられていると共に、当該ディスク状記録媒体３の再生時間、記録時間、曲名、操作状況等の各種情報を示すための液晶ディスプレイでなる表示部５及び停止ボタン６、再生ボタン７、早送りボタン８、早戻しボタン９及び一時停止ボタン１０が設けられている。
【００２７】
（１−２）回路構成
続いてマルチセッション対応型プレーヤ１の回路構成について説明する。図２に示すようにマルチセッション対応プレーヤ１は、機構部２１及び信号処理部２２を有し、当該機構部２１及び信号処理部２２を制御手段としてのＣＰＵ（Ｃｅｎｔｒａｌ  Ｐｒｏｃｅｓｓｉｎｇ  Ｕｎｉｔ）２０によって統括制御するようになされている。
【００２８】
因みにＣＰＵ２０は、図示しないＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を有し、当該ＲＯＭに予め格納されているマルチセッション対応プログラムをＲＡＭに展開することにより、当該マルチセッション対応プログラムに従って後述するマルチセッション半自動判定再生処理手順及びマルチセッション完全自動判定再生処理手順を実行するようになされている。
【００２９】
機構部２１は、装着口４から装填されたディスク状記録媒体３を所定の回転速度で回転駆動するディスク回転モータ２３、ディスク状記録媒体３の信号記録面から再生信号Ｓ１を読み取る再生手段としての光ピックアップ２４及び、ＣＰＵ２０の制御に従ってユーザ所望のセッションにアクセスするべく光ピックアップ２４を移動させる駆動部２５によって構成されている。
【００３０】
信号処理部２２は、光ピックアップ２４によって読み取られた再生信号Ｓ１を２値化することによりディジタルの再生データＤ２を生成するＲＦ（Ｒａｄｉｏ  Ｆｒｅｑｕｅｎｃｙ）部２５、再生データＤ２に対して所定の復調処理、誤り訂正処理等の各種ディジタル信号処理を施すディジタルシグナルプロセッサ（ＤＳＰ）２６、及び当該ＤＳＰ２６によって復調処理等が行われた結果得られる例えばオーディオデータＤ４をディジタルアナログ変換処理するディジタルアナログ変換回路２７によって構成されている。
【００３１】
実際上、マルチセッション対応型プレーヤ１は、通常再生処理を行う場合、装着口４から装填されたディスク状記録媒体３をディスク回転モータ２３によって所定の回転速度で回転駆動し、光ピックアップ２４によってディスク状記録媒体３の信号記録面から読み取った再生信号Ｓ１をＲＦ部２５へ送出する。
【００３２】
ＲＦ部２５は、再生信号Ｓ１を２値化することにより再生データＤ２を得、これを後段のＤＳＰ２６へ送出する。
【００３３】
ＤＳＰ２６は、再生データＤ２のうちリードインエリアのＴＯＣに書き込まれている属性情報Ｄ３についてはＣＰＵ２０へ送出すると共に、再生データＤ２のうちオーディオデータＤ４については後段のＤ／Ａコンバータ２７へ送出する。
【００３４】
ＣＰＵ２０は、ＤＳＰ２６から供給された属性情報Ｄ３に基づいて曲名や再生時間等を表示部５に表示する。なおＣＰＵ２０は、停止ボタン６、再生ボタン７、早送りボタン８、早戻しボタン９又は一時停止ボタン１０に対する操作に応じたディジタル信号処理をＤＳＰ２６に対して実行させるための各種命令を与えるようになされている。
【００３５】
Ｄ／Ａコンバータ２７は、オーディオデータＤ４をアナログのオーディオ信号Ｓ５に変換した後、これをスピーカ（図示せず）を介して出力するようになされている。
【００３６】
ここまでが通常再生処理の説明であり、次に第１の実施の形態におけるマルチセッション半自動判定再生処理手順について説明する。
【００３７】
（１−３）マルチセッション半自動判定再生処理手順
図３に示すようにマルチセッション対応型プレーヤ１のＣＰＵ２０は、マルチセッション対応プログラムに従ってマルチセッション半自動判定再生処理手順を実行するようになされており、ルーチンＲＴ１の開始ステップから入ってステップＳＰ１へ移る。
【００３８】
ステップＳＰ１においてＣＰＵ２０は、装着口４からディスク状記録媒体３が装填されたことを認識すると、次のステップＳＰ２へ移る。
【００３９】
ステップＳＰ２においてＣＰＵ２０は、ユーザによって正面パネル２の再生ボタン７が押下されたことを認識すると、次のステップＳＰ３へ移る。
【００４０】
ステップＳＰ３（ＴＯＣ読出ステップ）においてＣＰＵ２０は、ディスク状記録媒体３の第１セッションにおける第１ＴＯＣの属性情報だけを読み込み、次のステップＳＰ４へ移る。
【００４１】
ここで、ＣＰＵ２０は、ディスク状記録媒体３が通常のシングルセッションＣＤ、マルチセッションＣＤ若しくはＣＣＣＤであろうが関係なく、常に第１セッションの第１ＴＯＣに書き込まれている属性情報のみを読み出すようになされている。
【００４２】
これによりＣＰＵ２０は、仮にディスク状記録媒体３がＣＣＣＤであった場合でも、ディスク状記録媒体３が装填されたときに全セッションの全ＴＯＣを全て読み出すことがないため、第１セッションにおける第１ＴＯＣの属性情報だけを認識することになる。
【００４３】
従ってＣＰＵ２０は、ＣＣＣＤの第１セッションにおける第１ＴＯＣの属性情報に続いて第２セッションにおける第２ＴＯＣの属性情報を読み出してしまうことによる弊害、すなわち第２ＴＯＣの属性情報を読み出した時点で第１ＴＯＣに書き込まれている第１セッションに関する属性情報と、第２ＴＯＣに書き込まれている第１セッションに関する属性情報とが一致しないという矛盾が生じることにより第１セッションを再生することが出来なくなってしまう不都合を予め回避し得るようになされている。
【００４４】
ステップＳＰ４（判定ステップ）においてＣＰＵ２０は、ステップＳＰ３で読み出した第１ＴＯＣの属性情報に基づいて次の第２セッション以降のセッションが存在するか否かを判断することにより当該ディスク状記録媒体３がマルチセッションＣＤであるのか若しくはシングルセッションＣＤであるのかを判別する。
【００４５】
すなわちＣＰＵ２０は、ディスク状記録媒体３における各セッションのリードインエリアに存在するＴＯＣの中に次のセッションにおける実データの書込位置や時間情報等の各種情報が属性情報として記録されているので、第１セッションにおける第１ＴＯＣの属性情報を読み出した時点で次の第２セッションが存在するか否かを判別することができ、これにより当該ディスク状記録媒体３がマルチセッションＣＤであるのかシングルセッションＣＤであるのかを認識し得るようになされている。従ってディスク状記録媒体３がシングルセッションＣＤである場合には、第１セッションの第１ＴＯＣには次の第２セッション以降に関する各種情報は存在しないことになる。
【００４６】
このステップＳＰ４（判定ステップ）で否定結果が得られると、このことは第１ＴＯＣには次のセッション以降に関する各種情報が属性情報として記録されておらず、当該ディスク状記録媒体３がシングルセッションＣＤであると判断したことを表しており、このときＣＰＵ２０は次のステップＳＰ５へ移る。
【００４７】
ステップＳＰ５（シングルセッションモード再生ステップ）においてＣＰＵ２０は、当該ディスク状記録媒体３の第１セッションだけをシングルセッションモードで再生した後、次のステップＳＰ１５へ移って処理を終了する。
【００４８】
これに対してステップＳＰ４（判定ステップ）で肯定結果が得られると、このことは第１ＴＯＣには次のセッション以降に関する各種情報が属性情報として記録されており、当該ディスク状記録媒体３が第２セッション以降のデータを有するマルチセッションＣＤ（すなわちＣＣＣＤを含む）であると判断したことを表しており、このときＣＰＵ２０は次のステップＳＰ６へ移る。
【００４９】
ステップＳＰ６（単位セッション再生ステップ）においてＣＰＵ２０は、マルチセッションＣＤにおける第１セッションを再生し、次のステップＳＰ７へ移る。
【００５０】
ステップＳＰ７においてＣＰＵ２０は、第１セッションにおける最終曲の再生が終了したか否かを判定する。ここで否定結果が得られると、このことは未だ第１セッションを再生中であることを表しており、このときＣＰＵ２０はステップＳＰ７で第１セッションにおける最終曲の再生が終了するまで待ち受ける。
【００５１】
これに対してステップＳＰ７で肯定結果が得られると、このことは第１セッションにおける最終曲の再生が終了したことを表しており、このときＣＰＵ２０は次のステップＳＰ８へ移る。
【００５２】
ステップＳＰ８（再生中断ステップ）においてＣＰＵ２０は、直接次の第２セッションの第２ＴＯＣを読み出すことはせず、再生処理を一時停止した後、次のステップＳＰ９へ移る。
【００５３】
ステップＳＰ９においてＣＰＵ２０は、再生処理を一時停止した状態で図４に示す再生確認表示画面３０を表示部５に表示し、次のステップＳＰ１０へ移る。ここで再生確認表示画面３０には、ユーザに次のセッションを再生するか否かの決定を促すための「次のセッションを再生しますか？」と書かれた文字が表示されると共に、ユーザが再生を決定する場合（ＹＥＳ）の再生決定ボタン３１と再生を中止する場合（ＮＯ）の再生中止ボタン３２とが表示されている。
【００５４】
ステップＳＰ１０においてＣＰＵ２０は、再生確認表示画面３０の再生決定ボタン３１が押下されたか否かを判定する。ここで否定結果が得られると、このことは再生停止ボタン３２が押下され、ユーザには次のセッションを再生する意思がないことを表しており、このときＣＰＵ２０は次のステップＳＰ１１へ移る。
【００５５】
ステップＳＰ１１においてＣＰＵ２０は、再生確認表示画面３０の再生中止ボタン３２が押下されたか否かを判定する。ここで否定結果が得られると、このことは再生決定ボタン３１及び再生中止ボタン３２の双方共に押下されていないことを表しており、このときＣＰＵ２０はステップＳＰ１０へ戻って再生決定ボタン３１又は再生中止ボタン３２のいずれかが押下されるまで待ち受ける。
【００５６】
これに対してステップＳＰ１１で肯定結果が得られると、このことは次のセッションを再生する意思がユーザにないことを表しており、このときＣＰＵ２０はステップＳＰ６に戻って一つ前のセッションを再生する。
【００５７】
一方、ステップＳＰ１０で肯定結果が得られると、このことはユーザに次のセッションを再生する意思があることを表しており、このときＣＰＵ２０はステップＳＰ１２へ移る。
【００５８】
ステップＳＰ１２（データ種類判定ステップ）においてＣＰＵ２０は、次のセッションすなわち第２セッションにおける第２ＴＯＣの属性情報を読み出し、次のステップＳＰ１３へ移る。
【００５９】
ステップＳＰ１３（データ種類判定ステップ）においてＣＰＵ２０は、ステップＳＰ１２で読み出した第２ＴＯＣの属性情報の内容に基づいて、次のセッションすなわち第２セッションに当該マルチセッション対応型プレーヤ１の再生対象であるオーディオデータが記録されているか否かを判定する。
【００６０】
ここで肯定結果が得られると、次のセッションすなわち第２セッションにはマルチセッション対応型プレーヤ１の再生対象であるオーディオデータが記録されていることを表しており、このときＣＰＵ２０はステップＳＰ６へ戻って当該次のセッションである第２セッションのオーディオデータを再生し、ステップＳＰ７以降の処理を行う。
【００６１】
これに対してステップＳＰ１３（データ種類判定ステップ）において否定結果が得られると、次のセッションすなわち第２セッションにはマルチセッション対応型プレーヤ１の再生対象ではないオーディオデータ以外の例えばプログラムデータ等が記録されていることを表しており、このときＣＰＵ２０は次のステップＳＰ１４へ移る。
【００６２】
ステップＳＰ１４（制御ステップ）においてＣＰＵ２０は、ステップＳＰ１０で次のセッションの再生が指示されたが当該次のセッションにはオーディオデータが存在しないので、一つ前のセッションにおけるＴＯＣの属性情報を読み出し、ステップＳＰ６へ戻って当該一つ前のセッションを再生した後、上述のステップＳＰ７以降の処理を再度行う。
【００６３】
以上の構成において、マルチセッション対応型プレーヤ１のＣＰＵ２０は、ルーチンＲＴ１のマルチセッション半自動判定再生処理手順を実行することにより、装填されたディスク状記録媒体３がシングルセッションＣＤである場合にはシングルセッションモードとして再生処理を実行するので問題なく再生することができる。
【００６４】
またマルチセッション対応型プレーヤ１のＣＰＵ２０は、装填されたディスク状記録媒体３がマルチセッションＣＤである場合にもセッション毎にＴＯＣの属性情報を読み出してから再生処理を実行するのでマルチセッションＣＤについても確実に再生することができる。
【００６５】
さらにマルチセッション対応型プレーヤ１のＣＰＵ２０は、装填されたディスク状記録媒体３がＣＣＣＤである場合には、まずステップＳＰ３（ＴＯＣ読出ステップ）で第１ＴＯＣの属性情報だけを読み出し、ステップＳＰ６（単位セッション再生ステップ）で第１セッションをまず再生する。
【００６６】
そしてＣＰＵ２０は、第１セッションの再生が終了し、ステップＳＰ８（再生中断ステップ）、ステップＳＰ９及びステップＳＰ１０で再生確認表示画面３０を介して次のセッションの再生を実行することがユーザによって決定されたことを認識すると、ステップＳＰ１２（データ種類判定ステップ）で次のセッションすなわち第２セッションにおける第２ＴＯＣの属性情報を読み出す。
【００６７】
このときＣＰＵ２０は、ステップＳＰ１３（データ種類判定ステップ）で当該第２ＴＯＣの属性情報に基づいて第２セッションにオーディオデータが記録されておらずプログラムデータが記録されていると判断した場合には、ディスク状記録媒体３がＣＣＣＤであると判定することができる。
【００６８】
そしてＣＰＵ２０は、ステップＳＰ１４（制御ステップ）で一つ前の第１セッションにおける第１ＴＯＣを読み込んで上書きすることにより、結果的に第２ＴＯＣの属性情報を破棄して第１ＴＯＣの属性情報だけを持つことになり、ステップＳＰ６に戻ってＣＣＣＤの第１セッションを再生することができる。
【００６９】
このようにＣＰＵ２０は、ステップＳＰ１４（制御ステップ）でディスク状記録媒体３がＣＣＣＤであったと判定した場合には、一つ前の第１セッションにおける第１ＴＯＣの属性情報を新たに読み直すことにより、第２セッションにおける第２ＴＯＣの属性情報を読み出した時点で第１セッションにおける第１ＴＯＣの属性情報とを第２ＴＯＣの属性情報とが矛盾を生じることによる弊害、すなわち第１セッションを再生することが出来なくなってしまう事態を未然に防止して第１セッションを繰り返し再生することができる。
【００７０】
以上の構成によれば、マルチセッション対応型プレーヤ１のＣＰＵ２０は、ディスク状記録媒体３がシングルセッションＣＤ、マルチセッションＣＤ又はＣＣＣＤのいずれであっても第１セッションの第１ＴＯＣだけを必ず最初に読み出して当該第１セッションを最初に再生することにより、シングルセッションＣＤ、マルチセッションＣＤ又はＣＣＣＤのいずれであっても確実に第１セッションだけは再生することができる。
【００７１】
またマルチセッション対応型プレーヤ１のＣＰＵ２０は、ディスク状記録媒体３がマルチセッションＣＤやＣＣＣＤであった場合には、第１セッションの再生終了後に再生確認表示画面３０を介して次のセッションを再生するか否かをユーザに判断させ、再生決定ボタン３１の押下に応じて次のセッションにおけるＴＯＣの属性情報を読み出し、当該次のセッションにオーディオデータが格納されているときのみ次のセッションを再生し、そうでなければその一つ前のセッションにおけるＴＯＣの属性情報に基づいて最初のセッションから一つ前のセッションまで再生するようにしたことにより、マルチセッションＣＤであればセッション毎に順次再生することができ、またＣＣＣＤであれば少なくともオーディオデータの格納されたセッションだけは確実に再生することができる。
【００７２】
（２）第２の実施の形態
（２−１）全体構成及び回路構成
第２の実施の形態においては、図１及び図２に示したようにマルチセッション対応型プレーヤ１の全体構成及びその回路構成については、第１の実施の形態で説明した内容と同様であるので、ここではその説明を省略し、第２の実施の形態におけるマルチセッション完全自動判定再生処理手順から説明する。
【００７３】
（２−２）マルチセッション完全自動判定再生処理手順
図５に示すようにマルチセッション対応型プレーヤ１のＣＰＵ２０は、マルチセッション対応プログラムに従ってマルチセッション完全自動判定再生処理手順を実行するようになされており、ルーチンＲＴ２の開始ステップから入ってステップＳＰ２１へ移る。
【００７４】
ステップＳＰ２１においてＣＰＵ２０は、装着口４からディスク状記録媒体３が装填されたことを認識すると、次のステップＳＰ２２へ移る。
【００７５】
ステップＳＰ２２においてＣＰＵ２０は、ユーザによって正面パネル２の再生ボタン７が押下されたことを認識すると、次のステップＳＰ２３へ移る。
【００７６】
ステップＳＰ２３（ＴＯＣ読出ステップ）においてＣＰＵ２０は、ディスク状記録媒体３の第１セッションにおける第１ＴＯＣの属性情報だけを読み込み、次のステップＳＰ２４へ移る。
【００７７】
この場合もＣＰＵ２０は、ルーチンＲＴ１のマルチセッション自動判定再生処理手順と同様に、ディスク状記録媒体３が通常のシングルセッションＣＤ、マルチセッションＣＤ若しくはＣＣＣＤであろうが関係なく、常に第１セッションの第１ＴＯＣに書き込まれている属性情報のみを読み出すようになされている。
【００７８】
これによりＣＰＵ２０は、仮にディスク状記録媒体３がＣＣＣＤであった場合でも、ディスク状記録媒体３が装填されたときに全セッションの全ＴＯＣを全て読み出すことがないため、第１セッションにおける第１ＴＯＣの属性情報だけを認識することになる。
【００７９】
従ってＣＰＵ２０は、ＣＣＣＤの第１セッションにおける第１ＴＯＣの属性情報に続いて第２セッションにおける第２ＴＯＣの属性情報を読み出してしまうことによる弊害、すなわち第２ＴＯＣの属性情報を読み出した時点で第１ＴＯＣに書き込まれている第１セッションに関する属性情報と、第２ＴＯＣに書き込まれている第１セッションに関する属性情報とが一致しないという矛盾が生じることにより第１セッションを再生することが出来なくなってしまうという不都合を予め回避し得るようになされている。
【００８０】
ステップＳＰ２４（判定ステップ）においてＣＰＵ２０は、ステップＳＰ２３で読み出した第１ＴＯＣの属性情報に基づいて次の第２セッション以降のセッションが存在するか否かを判断する、若しくは第２セッション以降も追記記録可能な状態であるか否かを判断することにより、当該ディスク状記録媒体３がマルチセッションＣＤであるのか若しくはシングルセッションＣＤであるのかを判別する。
【００８１】
このステップＳＰ２４（判定ステップ）で否定結果が得られると、このことは第１ＴＯＣには次のセッションに関する各種情報が属性情報として記録されておらず、当該ディスク状記録媒体３がシングルセッションＣＤであると判断したことを表しており、このときＣＰＵ２０は次のステップＳＰ２６へ移る。
【００８２】
ステップＳＰ２６においてＣＰＵ２０は、ステップＳＰ２４で読み出した第１ＴＯＣの属性情報にのみ基づいて第１セッションをシングルセッションモードで再生し、次のステップＳＰ３３で処理を終了する。
【００８３】
これに対してステップＳＰ２４（判定ステップ）で肯定結果が得られると、このことは第１ＴＯＣに次のセッションに関する各種情報が属性情報として記録されており、当該ディスク状記録媒体３がマルチセッションＣＤであると判断したことを表しており、このときＣＰＵ２０は次のステップＳＰ２７へ移る。
【００８４】
ステップＳＰ２７（単位セッション再生ステップ）においてＣＰＵ２０は、現在既に読み出されたＴＯＣ（この時点では第１ＴＯＣ）の属性情報に基づいて第１セッションを再生し、次のステップＳＰ２８へ移る。
【００８５】
ステップＳＰ２８においてＣＰＵ２０は、第１セッションにおける最終曲の再生が終了したか否かを判定する。ここで否定結果が得られると、このことは第１セッションを未だ再生中であることを表しており、このときＣＰＵ２０は次のステップＳＰ２９へ移る。
【００８６】
ステップＳＰ２９においてＣＰＵ２０は、次のセッションにおけるＴＯＣの属性情報を読み出すことができるか否かについて判定する。ここで否定結果が得られると、このことは次のセッションにおけるＴＯＣが現時点では存在しないこと、すなわちマルチセッションＣＤではあるが第２セッション以降には未だ追記記録されておらず、次のセッションにおけるＴＯＣの属性情報を読み出すことができないことを表しており、このときＣＰＵ２０はステップＳＰ２６へ移る。
【００８７】
ステップＳＰ２６においてＣＰＵ２０は、このマルチセッションＣＤのうち現時点で既に読み出されたＴＯＣの属性情報に基づいてセッションの再生を継続し、次のステップＳＰ３３へ移って処理を終了する。
【００８８】
これに対してステップＳＰ２９で肯定結果が得られると、このことは次のセッションが追記記録されており、当該次のセッションにおけるＴＯＣの属性情報を読み出すことができることを表しており、このときＣＰＵ２０は次のステップＳＰ３０へ移る。
【００８９】
ステップＳＰ３０（ＴＯＣ判定ステップ）においてＣＰＵ２０は、次のセッションにおけるＴＯＣの属性情報を読み出したとき、この新しい次のセッションにおけるＴＯＣの属性情報と、一つ前のセッションにおけるＴＯＣの属性情報との間に矛盾が生じているか否かを判定する。
【００９０】
ここで次のセッションにおけるＴＯＣには当該次のセッションに関する属性情報のみならず、それ以前のセッションに関する属性情報についても全て含まれており、ステップＳＰ２３で既に読み出された一つ前のセッションにおけるＴＯＣの属性情報との間で食い違いが生じているときには矛盾が生じていることになる。
【００９１】
このステップＳＰ３０（ＴＯＣ判定ステップ）で肯定結果が得られると、このことは次のセッションにおけるＴＯＣの属性情報には一つ前のセッションにおけるＴＯＣの属性情報と比較した結果矛盾が生じていないこと、すなわちＣＣＣＤではない、若しくはマルチセッションＣＤに対する追記記録時に何らかのエラーが生じているわけでもないことを表しており、このときＣＰＵ２０は次のステップＳＰ３１へ移る。
【００９２】
これに対してステップＳＰ３０（ＴＯＣ判定ステップ）で否定結果が得られると、このことは次のセッションにおけるＴＯＣの属性情報には一つ前のセッションにおけるＴＯＣの属性情報との間で矛盾が生じているので、この次のセッションにおけるＴＯＣの属性情報に基づいて再生することになると、再生エラーが生じる可能性が高いことを表しており、このときＣＰＵ２０はステップＳＰ２６へ移る。
【００９３】
ステップＳＰ２６においてＣＰＵ２０は、次のセッションにおけるＴＯＣの属性情報を用いることなく、一つ前のセッションにおけるＴＯＣの属性情報に基づいてそれまでのセッションの再生を継続し、次のステップＳＰ３３へ移って処理を終了する。
【００９４】
ステップＳＰ３１（制御ステップ）においてＣＰＵ２０は、次のセッションにおけるＴＯＣの属性情報には矛盾が生じていないため、当該次のセッションにおけるＴＯＣの属性情報で一つ前のセッションにおけるＴＯＣの属性情報を上書きした後、次のステップＳＰ３２へ移る。
【００９５】
ステップＳＰ３２（制御ステップ）においてＣＰＵ２０は、この次のセッションがマルチセッションＣＤの最終セッションであるか否かを判定する。
【００９６】
ここで否定結果が得られると、このことはこの次のセッション以降のセッションが未だ存在することを表しており、このときＣＰＵ２０はステップＳＰ２７へ戻って上述の処理を繰り返す。
【００９７】
これに対してステップＳＰ３２（制御ステップ）で肯定結果が得られると、このことはこの次のセッションがマルチセッションＣＤの最終セッションに該当することを表しており、このときＣＰＵ２０はステップＳＰ２６へ移る。
【００９８】
ステップＳＰ２６（制御ステップ）においてＣＰＵ２０は、この最終セッションで読み出したＴＯＣの属性情報に基づいて当該最終セッションの再生を行い、次のステップＳＰ３３へ移って処理を全て終了する。
【００９９】
（２−３）動作及び効果
以上の構成において、マルチセッション対応型プレーヤ１のＣＰＵ２０は、セッション毎にＴＯＣの属性情報を読み出し、当該ＴＯＣの属性情報に矛盾が生じるまでは順番に次のセッションへ再生を進めていくが、当該ＴＯＣの属性情報に矛盾が生じたときには、それ以前のＴＯＣの属性情報に基づいてそれ以前までのセッションの再生を行う。
【０１００】
すなわちマルチセッション対応型プレーヤ１のＣＰＵ２０は、ユーザに対して次のセッションを再生するか否かについて指示を受ける必要がなく、セッション毎に再生可能か否かをＴＯＣの属性情報に基づいて自動的に判定し、再生不可能なセッションに該当したときには、それ以前までの再生可能なセッションについて繰り返し再生することにより、ディスク状記録媒体３がシングルセッションＣＤ、マルチセッションＣＤ若しくはＣＣＣＤのいずれであっても全て確実かつ自動的に再生することができる。
【０１０１】
以上の構成によれば、マルチセッション対応型プレーヤ１のＣＰＵ２０は、ディスク状記録媒体３がシングルセッションＣＤ、マルチセッションＣＤ又はＣＣＣＤのいずれであっても、再生すべきオーディオデータについては全て確実かつ自動的に再生することができる。
【０１０２】
またマルチセッション対応型プレーヤ１のＣＰＵ２０は、ＣＣＣＤではなくマルチセッションＣＤであって書き込み時のエラー等によって次のセッションにおけるＴＯＣの属性情報と一つ前のＴＯＣの属性情報との間で矛盾が生じたときにも、一つ前のセッションまでは確実に再生することができる。
【０１０３】
（３）他の実施の形態
なお上述の第１及び第２の実施の形態においては、ディスク状記録媒体３としてシングルセッションＣＤ、マルチセッションＣＤ（ＣＤ−Ｒ）、ＣＣＣＤを適用対象として用いるようにした場合について述べたが、本発明はこれに限らず、マルチセッション方式で追記記録されるディスク状記録媒体であれば他の種々のディスク状記録媒体を用いるようにしても良い。
【０１０４】
また上述の第１の実施の形態においては、セッションに再生対象のオーディオデータが格納されておらず、プログラムデータ等のオーディオデータ以外のデータが格納されているときにＣＣＣＤであると判定するようにした場合について述べたが、本発明はこれに限らず、要は画像データ等のオーディオデータ以外の各種データが格納されているときには全てＣＣＣＤであると判定するようにしても良い。
【０１０５】
さらに上述の実施の形態においては、第２セッションにおけるＴＯＣの属性情報に第１セッションにおけるＴＯＣの属性情報と矛盾を生じさせるような構造を有するＣＣＣＤに適用するようにした場合について述べたが、本発明はこれに限らず、第２セッションにおけるＴＯＣの属性情報ではなく、第３セッション、第４セッション等その他のセッションにおけるＴＯＣの属性情報に一つ前のセッションにおけるＴＯＣの属性情報と矛盾を生じさせるような構造のＣＣＣＤに適用するようにしても良い。
【０１０６】
【発明の効果】
上述のように本発明によれば、マルチセッション対応であると判定したときはセッション毎にＴＯＣの属性情報を読み出し、当該ＴＯＣの属性情報に基づいてセッション単位で再生することができるので、マルチセッションＣＤ又はコピーコントロールＣＤについてもＴＯＣの属性情報に基づいてセッション単位で確実に再生することができ、かくしてディスク状記録媒体の種類を自動的に判別して確実に再生し得るマルチセッション対応ディスクの再生方法を実現することができる。
【０１０７】
また本発明によれば、マルチセッション対応であると判定したときセッション単位で再生し、次のセッションにおけるＴＯＣの属性情報に基づいて当該次のセッションに再生対象となるデータが記録されているか否かを判定し、肯定結果を得たときのみ次のセッションを再生するが、否定結果を得たときは一つ前のセッションにおけるＴＯＣの属性情報に基づいて最初のセッションから当該一つ前のセッションまでを順次セッション単位で再生することができるので、再生対象のデータが記録されているセッションについてはマルチセッション対応又はマルチセッション非対応であるか否かに係わらずセッション単位で確実に再生することができ、かくしてディスク状記録媒体の種類を自動的に判別して確実に再生し得るマルチセッション対応ディスクの再生方法を実現することができる。
【０１０８】
さらに本発明によれば、ＴＯＣの属性情報に基づいてマルチセッション対応であると判定したときはセッション単位で再生し、次のセッションにおけるＴＯＣの属性情報と一つ前のセッションにおけるＴＯＣの属性情報とを比較したときに両者の属性情報の間で矛盾が生じていないかを判定し、矛盾が生じていないときのみ次のセッションにおけるＴＯＣの属性情報に基づいて当該次のセッションを再生するが、矛盾が生じていたときには一つ前のセッションにおけるＴＯＣの属性情報に基づいて最初のセッションから当該一つ前のセッションまでを順次セッション単位で再生することができるので、ＴＯＣの属性情報に矛盾が生じるまではマルチセッション対応又はマルチセッション非対応であるか否かに係わらずセッション単位で確実に再生することができ、かくしてディスク状記録媒体の種類を自動的に判別して確実に再生し得るマルチセッション対応ディスクの再生方法を実現することができる。
【図面の簡単な説明】
【図１】本発明を適用したマルチセッション対応型プレーヤの外観構成を示す略線的斜視図である。
【図２】マルチセッション対応型プレーヤの回路構成を示す略線的ブロック図である。
【図３】第１の実施の形態におけるマルチセッション半自動判定再生処理手順を示すフローチャートである。
【図４】再生確認表示画面を示す略線図である。
【図５】第２の実施の形態におけるマルチセッション完全自動判定再生処理手順を示すフローチャートである。
【符号の説明】
１……マルチセッション対応型プレーヤ、３……ディスク状記録媒体、４……装着口、５……表示部、２０……ＣＰＵ、２１……機構部、２２……信号処理部、２４……光ピックアップ、２５……ＲＦ部、２６……ＤＳＰ、３０……再生確認表示画面。
【図１】
2004246997.tif 000003
【図２】
2004246997.tif 000004
【図３】
2004246997.tif 000005
【図４】
2004246997.tif 000006
【図５】
2004246997.tif 000007